(57)【特許請求の範囲】
【請求項１】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある連続した６つの番手を採用した６本のゴルフクラブの群を含み、この群のゴルフクラブのロフト角度をθ（度）とし、かつ各ゴルフクラブを構成するゴルフクラブシャフトの後端部を後端から１７８ｍｍの長さで拘束すると共に先端部に先端から３０ｍｍの長さにわたって質量２００ｇの重量体を装着した状態で該先端部を撓り方向に振動させて測定した単位時間当たりの振動数と、該ゴルフクラブシャフトの先端部を先端から１７８ｍｍの長さで拘束すると共に後端部に後端から３０ｍｍの長さにわたって質量２００ｇの重量体を装着した状態で該後端部を撓り方向に振動させて測定した単位時間当たりの振動数との和をＹ（ｃｐｍ）としたとき、この群の全てのゴルフクラブについて、前記振動数の和Ｙを前記ロフト角度θに対して下記の式（２）で定まる範囲に設定したゴルフクラブセット。
ｃθ＋ｄ≦Ｙ≦ｃθ＋ｄ＋１２      （２）
但し、係数ｃ，ｄは任意の定数である。
係数ｃは６以上１２以下である。
振動数の和Ｙの範囲は２００〜１５００ｃｐｍである。
【請求項２】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある連続した６つの番手を採用した６本のゴルフクラブの群を含み、この群のゴルフクラブのロフト角度をθ（度）とし、かつ各ゴルフクラブを構成するゴルフクラブシャフトの後端部を後端から１７８ｍｍの長さで拘束すると共に先端部に先端から３０ｍｍの長さにわたって質量２００ｇの重量体を装着した状態で該先端部を撓り方向に振動させて測定した単位時間当たりの振動数と、該ゴルフクラブシャフトの先端部を先端から１７８ｍｍの長さで拘束すると共に後端部に後端から３０ｍｍの長さにわたって質量２００ｇの重量体を装着した状態で該後端部を撓り方向に振動させて測定した単位時間当たりの振動数との和をＹ（ｃｐｍ）としたとき、この群の全てのゴルフクラブについて、前記ロフト角度θに対する前記振動数の和Ｙの分布を回帰直線で回帰した際、前記ロフト角度θに対する前記振動数の和Ｙの回帰直線の傾きが６以上１２以下であり、該回帰直線に対する推定誤差が８（ｃｐｍ）以下となるように前記振動数の和Ｙを設定したゴルフクラブセット。
【請求項３】
前記ゴルフクラブシャフトの後端部を固定した状態で測定した振動数を分子とし、該ゴルフクラブシャフトの先端部を固定した状態で測定した振動数を分母とする振動数の比率をＺとしたとき、前記群の全てのゴルフクラブについて、前記ロフト角度θに対する前記振動数の比率Ｚの分布を回帰直線で回帰した際、該回帰直線に対する推定誤差が０．１５以下となるように前記振動数の比率Ｚを設定した請求項１乃至請求項２のいずれかに記載のゴルフクラブセット。
【請求項４】
前記ゴルフクラブシャフトが繊維強化樹脂製である請求項１乃至請求項３のいずれかに記載のゴルフクラブセット。
【請求項５】
ゴルフクラブセットを構成するための複数本のゴルフクラブシャフトからなるゴルフクラブシャフトセットにおいて、前記複数本のゴルフクラブシャフトは、連続した６つの番手を採用したゴルフクラブに装着される６本のゴルフクラブシャフトの群を含み、この群のゴルフクラブシャフトの長さをＬ（ｍｍ）とし、かつ各ゴルフクラブシャフトの後端部を後端から１７８ｍｍの長さで拘束すると共に先端部に先端から３０ｍｍの長さにわたって質量２００ｇの重量体を装着した状態で該先端部を撓り方向に振動させて測定した単位時間当たりの振動数と、該ゴルフクラブシャフトの先端部を先端から１７８ｍｍの長さで拘束すると共に後端部に後端から３０ｍｍの長さにわたって質量２００ｇの重量体を装着した状態で該後端部を撓り方向に振動させて測定した単位時間当たりの振動数との和をＹ（ｃｐｍ）としたとき、この群の全てのゴルフクラブシャフトについて、前記長さＬに対する前記振動数の和Ｙの分布を回帰直線で回帰した際、前記長さＬに対する前記振動数の和Ｙの回帰直線の傾きが−３．７以上−１．８５以下であり、該回帰直線に対する推定誤差が８（ｃｐｍ）以下となるように前記振動数の和Ｙを設定したゴルフクラブシャフトセット。
【請求項６】
前記ゴルフクラブシャフトの群が、ロフト角度が１６度以上４１度以下の範囲のゴルフクラブに装着されるゴルフクラブシャフトからなる請求項５に記載のゴルフクラブシャフトセット。
【請求項７】
前記ゴルフクラブシャフトの後端部を固定した状態で測定した振動数を分子とし、該ゴルフクラブシャフトの先端部を固定した状態で測定した振動数を分母とする振動数の比率をＺとしたとき、前記群の全てのゴルフクラブシャフトについて、前記長さＬに対する前記振動数の比率Ｚの分布を回帰直線で回帰した際、該回帰直線に対する推定誤差が０．１５以下となるように前記振動数の比率Ｚを設定した請求項５乃至請求項６のいずれかに記載のゴルフクラブシャフトセット。
【請求項８】
前記ゴルフクラブシャフトが繊維強化樹脂製である請求項５乃至請求項７のいずれかに記載のゴルフクラブシャフトセット。
【発明の詳細な説明】
【０００１】
【発明の属する技術分野】
本発明は、ロフト角度を種々異ならせた複数本のゴルフクラブを含むゴルフクラブセット及びそのようなゴルフクラブセットに使用するゴルフクラブシャフトセットに関し、更に詳しくは、人が実際に感じるゴルフクラブシャフトの硬さを番手間で調和させたゴルフクラブセット及びゴルフクラブシャフトセットに関する。
【０００２】
【従来の技術】
アイアンゴルフクラブセットは、ロングアイアンからショートアイアンまでの１０本程度のゴルフクラブを具備し、各番手で異なる飛距離が得られるようにクラブ長さやロフト角度を種々異ならせた構成になっている。このようなゴルフクラブセットにおいては、人が実際に感じるゴルフクラブシャフトの硬さを番手間で調和させることが望ましい。
【０００３】
ところで、ゴルフクラブシャフトの硬さを評価する指標として、一般には振動数（ｃｐｍ）等がある。しかしながら、これら指標に基づいてゴルフクラブシャフトの硬さを評価した場合、その数値が大きい場合であっても必ずしも人が実際に硬いと感じるとは言えなかった。つまり、キックポイントの相違によって上記指標による結果が異なることがあり、例えば、キックポイントが互いに異なる２本のゴルフクラブシャフトについて、一方のゴルフクラブシャフトのほうが他方のゴルフクラブシャフトよりも振動数の数値が高くなるが、他方のゴルフクラブシャフトのほうが一方のゴルフクラブシャフトよりも硬く感じるという逆転現象も生じている。
【０００４】
そのため、従来の指標に基づいてゴルフクラブシャフトの硬さを番手間で調和させるようにゴルフクラブセットを設計しても、人が実際に感じるゴルフクラブシャフトの硬さは番手間で調和していないのが現状である。
【０００５】
【発明が解決しようとする課題】
本発明の目的は、人が実際に感じるゴルフクラブシャフトの硬さを番手間で調和させたゴルフクラブセット及びゴルフクラブシャフトセットを提供することにある。
【０００６】
【課題を解決するための手段】
上記目的を達成するための本発明のゴルフクラブセットは、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、連続した６つの番手を採用した６本のゴルフクラブについて、各ゴルフクラブを構成するゴルフクラブシャフトの後端部を固定した状態で先端部を撓り方向に振動させて測定した単位時間当たりの振動数と、該ゴルフクラブシャフトの先端部を固定した状態で後端部を撓り方向に振動させて測定した単位時間当たりの振動数との和の大きさを、ロフト角度の大きさの順序に関連付けて設定し、好ましくはロフト角度の大きさの順序に対応して略線形的に変化させたことを特徴とするものである。
【００１４】
上記振動数の和の大きさをロフト角度の大きさの順序に対応して略線形的に変化させるに際して、本発明では下記の条件を満足することが望ましい。
【００１５】
つまり、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある連続した６つの番手を採用した６本のゴルフクラブの群を含むものとする。そして、この群のゴルフクラブのロフト角度をθ（度）とし、かつ各ゴルフクラブを構成するゴルフクラブシャフトの後端部を後端から１７８ｍｍの長さで拘束すると共に先端部に先端から３０ｍｍの長さにわたって質量２００ｇの重量体を装着した状態で該先端部を撓り方向に振動させて測定した単位時間当たりの振動数と、該ゴルフクラブシャフトの先端部を先端から１７８ｍｍの長さで拘束すると共に後端部に後端から３０ｍｍの長さにわたって質量２００ｇの重量体を装着した状態で該後端部を撓り方向に振動させて測定した単位時間当たりの振動数との和をＹ（ｃｐｍ）とする。
【００１６】
このとき、上記群の全てのゴルフクラブについて、前記振動数の和Ｙを前記ロフト角度θに対して下記の式（２）で定まる範囲に設定するのである。
【００１７】
ｃθ＋ｄ≦Ｙ≦ｃθ＋ｄ＋１２      （２）
但し、係数ｃ，ｄは任意の定数である。
係数ｃは６以上１２以下である。
振動数の和Ｙの範囲は２００〜１５００ｃｐｍである。
【００１８】
或いは、上記群の全てのゴルフクラブについて、前記ロフト角度θに対する前記振動数の和Ｙの分布を回帰直線で回帰した際、前記ロフト角度θに対する前記振動数の和Ｙの回帰直線の傾きが６以上１２以下であり、該回帰直線に対する推定誤差が８（ｃｐｍ）以下となるように前記振動数の和Ｙを設定するのである。
【００１９】
更に好ましくは、前記ゴルフクラブシャフトの後端部を固定した状態で測定した振動数を分子とし、該ゴルフクラブシャフトの先端部を固定した状態で測定した振動数を分母とする振動数の比率をＺとしたとき、前記群の全てのゴルフクラブについて、前記ロフト角度θに対する前記振動数の比率Ｚの分布を回帰直線で回帰した際、該回帰直線に対する推定誤差が０．１５以下となるように前記振動数の比率Ｚを設定するのである。
【００２０】
本発明では、ゴルフクラブシャフトの後端部を固定した状態で先端部を振動させて測定した単位時間当たりの振動数と、該ゴルフクラブシャフトの先端部を固定した状態で後端部を振動させて測定した単位時間当たりの振動数との和をゴルフクラブシャフトの硬さの指標に用いる。この振動数の和は、ゴルフクラブシャフト後端部を固定した状態で得られる振動特性とゴルフクラブシャフト先端部を固定した状態で得られる振動特性とを合わせているので、キックポイントの位置に拘らずゴルフクラブシャフトの硬さをより正確に数値で示すものである。そのため、振動数の和がロフト角度の大きさの順序に対して相関性を持っていれば、ゴルフクラブセット全体を通じて特定のゴルフクラブだけが硬く感じられるような違和感を回避することができる。
【００２１】
振動数の測定は、ゴルフクラブシャフト単体で測定することが好ましい。ゴルフクラブシャフト単体で振動数を測定し、調整し、その他の部材を適宜調整してゴルフクラブとして組み立てることによって、ゴルフクラブ全体としてより精度を高く調整することが可能であり、人が実際に感じるゴルフクラブシャフトの硬さを番手間で調和させることが可能になる。
【００２２】
番手とは、主にロフト角度の異なったゴルフクラブをロフト角度の順番に並べることができるように、各ゴルフクラブに付与した数字、文字、記号等によって表されたロフト角度の順番に関する識別情報の内容であり、各番手のロフト角度は、一定または概ね一定の間隔で当業者によって適宜設定されている。また、番手が大きいとは、ロフト角度が大きい番手を指す。
【００２３】
本発明は、ゴルフクラブセットとして組み立てられる前のゴルフクラブシャフトセットも包含するものである。ゴルフクラブシャフトセットとは、一般的に複数本の長さの異なったゴルフクラブシャフトからなり、長さの長いゴルフクラブシャフトから順番にロフト角度の小さいゴルフクラブヘッドに装着されてゴルフクラブセットとなる。当業者は、ゴルフクラブを組み立てる際に、ゴルフクラブシャフトセットの各ゴルフクラブシャフトを、そのままの長さで使用したり、適宜切断して使用したりすることが可能である。
【００２９】
上記目的を達成するための本発明のゴルフクラブシャフトセットは、ゴルフクラブセットを構成するための複数本のゴルフクラブシャフトからなるゴルフクラブシャフトセットにおいて、前記複数本のゴルフクラブシャフトのうち、連続した６つの番手を採用したゴルフクラブに装着される６本のゴルフクラブシャフトについて、各ゴルフクラブシャフトの後端部を固定した状態で先端部を撓り方向に振動させて測定した単位時間当たりの振動数と、該ゴルフクラブシャフトの先端部を固定した状態で後端部を撓り方向に振動させて測定した単位時間当たりの振動数との和の大きさを、ゴルフクラブシャフトの長さの順序に関連付けて設定し、好ましくはゴルフクラブシャフトの長さの順序に対応して略線形的に変化させたことを特徴とするものである。
【００３０】
上記振動数の和の大きさをゴルフクラブシャフトの長さの順序に対応して略線形的に変化させるに際して、本発明では下記の条件を満足することが望ましい。
【００３１】
つまり、ゴルフクラブセットを構成するための複数本のゴルフクラブシャフトからなるゴルフクラブシャフトセットにおいて、前記複数本のゴルフクラブシャフトは、連続した６つの番手を採用したゴルフクラブに装着される６本のゴルフクラブシャフトの群を含むものとする。このゴルフクラブシャフトの群は、ロフト角度が１６度以上４１度以下の範囲のゴルフクラブに装着されるゴルフクラブシャフトから構成されることが望ましい。そして、この群のゴルフクラブシャフトの長さをＬ（ｍｍ）とし、かつ各ゴルフクラブシャフトの後端部を後端から１７８ｍｍの長さで拘束すると共に先端部に先端から３０ｍｍの長さにわたって質量２００ｇの重量体を装着した状態で該先端部を撓り方向に振動させて測定した単位時間当たりの振動数と、該ゴルフクラブシャフトの先端部を先端から１７８ｍｍの長さで拘束すると共に後端部に後端から３０ｍｍの長さにわたって質量２００ｇの重量体を装着した状態で該後端部を撓り方向に振動させて測定した単位時間当たりの振動数との和をＹ（ｃｐｍ）とする。
【００３２】
このとき、上記群の全てのゴルフクラブシャフトについて、前記長さＬに対する前記振動数の和Ｙの分布を回帰直線で回帰した際、前記長さＬに対する前記振動数の和Ｙの回帰直線の傾きが−３．７以上−１．８５以下であり、該回帰直線に対する推定誤差が８（ｃｐｍ）以下となるように前記振動数の和Ｙを設定するのである。
【００３３】
更に好ましくは、前記ゴルフクラブシャフトの後端部を固定した状態で測定した振動数を分子とし、該ゴルフクラブシャフトの先端部を固定した状態で測定した振動数を分母とする振動数の比率をＺとしたとき、前記群の全てのゴルフクラブシャフトについて、前記長さＬに対する前記振動数の比率Ｚの分布を回帰直線で回帰した際、該回帰直線に対する推定誤差が０．１５以下となるように前記振動数の比率Ｚを設定するのである。
【００３４】
このようにゴルフクラブシャフトセットにおいて振動数の和がゴルフクラブシャフトの長さの順序に対して相関性を持っていれば、ゴルフクラブセットを構成した際に、ゴルフクラブセット全体を通じて特定のゴルフクラブだけが硬く感じられるような違和感を回避することができる。
【００３５】
【発明の実施の形態】
以下、本発明の構成について添付の図面を参照しながら詳細に説明する。
【００３６】
図１は本発明の実施形態からなるゴルフクラブセットを例示するものであり、ゴルフクラブＡ３〜Ａ９（３番〜９番アイアン）と、ゴルフクラブＰＷ（ピッチングウェッジ）と、ゴルフクラブＳＷ（サンドウェッジ）との９本から構成されている。また、各ゴルフクラブは、ゴルフクラブシャフト１の後端部にグリップ２が装着され、先端部にゴルフクラブヘッド３が取り付けられた構成になっている。
【００３７】
これらゴルフクラブＡ３〜Ａ９，ＰＷ，ＳＷは、番手が大きくなるほどゴルフクラブシャフト軸に対するフェース面４のロフト角度θ（度）が大きくなると共にクラブ長さが短くなるように設定されている。即ち、ゴルフクラブＡ３〜Ａ９，ＰＷ，ＳＷは、番手が大きくなるほど打球飛距離が短くなるように設定されている。例えば、ゴルフクラブＡ３〜Ａ９，ＰＷ，ＳＷのロフト角度θは、２０度，２４度，２８度，３２度，３６度，４０度，４４度，４８度，５８度に設定されている。つまり、このゴルフクラブセットはロフト角度θが１６度〜４１度の範囲に含まれるゴルフクラブを６本備えている。
【００３８】
上記ゴルフクラブセットにおいて、特にロフト角度θが１６度〜４１度の範囲に含まれるゴルフクラブについて調和を図ることが必要である。その理由は、これらの範囲内のゴルフクラブには、番手に応じて飛距離を打ち分けられるような調和した性能が要求されるからである。これに対して、ロフト角度θが１６度未満のゴルフクラブは、主にティーアップして打球する条件で使用されるゴルフクラブであって、言わば他のゴルフクラブでのスイングパターンとは関係なく飛距離を追求するゴルフクラブであるので、ゴルフクラブセット内で必ずしも調和させる必要はない。一方、ロフト角度θが４１度を超えるゴルフクラブは、スイング力を加減するコントロールショット又はアプローチショットに使用されることが多く、言わば他のゴルフクラブでのスイングパターンとは関係なくコントロール性を重視するゴルフクラブであるので、ゴルフクラブセット内で必ずしも調和させる必要はない。
【００３９】
上記ロフト角度θは、図２に示すように、ゴルフクラブヘッド３を基準面Ｂ上にライ角度通りに設置し、そのシャフト軸を含み基準面Ｂに直交する平面Ｐを想定し、該平面Ｐに対して直交する目標方向にフェース面４を向けたとき、平面Ｐとフェース面４とがなす角度である。このロフト角度θは、フェース面４のスイートスポットの位置で測定されるものである。スイートスポットはゴルフクラブヘッド３の重心Ｇからフェース面４に下ろした垂線と該フェース面４との交点ｇである。つまり、フェース面４が平面及び曲面のいずれであってもスイートスポットの位置を接点としてロフト角度θが特定される。
【００４０】
ロフト角度θの測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００４１】
このロフト角度θの測定は、ゴルフクラブの状態で測定するほか、ゴルフクラブヘッド単体にシャフトピンを差し込んで測定することも可能である。ゴルフクラブヘッド単体で測定して得られるロフト角度θの数値は、ゴルフクラブの状態で測定して得られるロフト角度θの数値と実質的に同じである。
【００４２】
上記スイートスポットの位置を示すフェース面４上の交点ｇは、図３に示すような重心測定器４１によって求められる。重心測定器４１は、上部に重心測定対象物を支持する支持部４２を備え、この支持部４２が測定対象物を平衡に支持する測定対象物の位置を知ることができるものである。すなわち、重心の測定方法は、図４に示すようにゴルフクラブヘッド３を支持部４２に載せ、手を放しても落ちない平衡な位置を探し出す。つまり、図５（ａ）に示すように、フェース面４と支持部４２の接触部に点ｇを含んでいれば、ゴルフクラブヘッド３を支持部４２に載せて手を放しても落ちないが、図５（ｂ）に示すように、フェース面４と支持部４２の接触部に点ｇを含んでいなければ、ゴルフクラブヘッド３は、支持部４２に載せて手を放すと落ちる。このことを利用して点ｇを求めるものである。
【００４３】
支持部４２は平面または３点以上で支持する形態であることが好ましい。また、支持部４２の面積は、１５ｍｍ2 以下であることが好ましい。また、下限はゴルフクラブヘッド３が支えられる限り特に限定されない。支持部４２の面積は、平面であれば平面部分の面積、３点以上で支持する形態であれば各点を結んだ図形の面積によって示される。支持部４２の面積を上記の範囲に設定することによって、より正確に点ｇを求めることができる。
【００４４】
支持部４２によって支持された平面は水平または概ね水平になることが好ましい。ここで、概ね水平とは、水平面に対する傾きが２度以内、好ましくは１度以内のことである。水平または概ね水平になっているか否かは、例えば図６に示すように、支持部４２に平面板５１を載せて支持させ、平面板５１の上に水準器５２を置き、確認し、調整することができる。上記範囲内に設定することによって、より正確に点ｇを求めることが可能になる。
【００４５】
ここで、ライ角度通りに設置とは、ゴルフクラブヘッド３のソール面のラウンドと基準面とのなす隙間がソール面のトウ側の端部とヒール側の端部にて略等しくなる状態である。ソール面のラウンドが不明瞭な場合は、スコアラインと基準面とが平行な状態によって設定される。ソール面のラウンドが不明瞭でかつスコアラインが直線状でない等、基準面との平行が判別できない場合は、ライ角度（度）＝（１００−クラブ長さ（インチ））にて設定される。例えば、３６インチのクラブ長さであれば、ライ角度は１００−３６＝６４度になる。
【００４６】
クラブ長さは、社団法人日本ゴルフ用品協会が規準とするトラディショナル・スタンダード測定法により測定される。即ち、ゴルフクラブヘッドにおけるソール面とネック部の背部との接点からグリップエンド（キャップの丸みを含まない）までの長さである。測定器としては、株式会社鴨下精衡所製のクラブ・メジャーIIが挙げられる。
【００４７】
上記ゴルフクラブセットにおいて、ロフト角度θが１６度〜４１度の範囲に含まれるゴルフクラブについて、各ゴルフクラブを構成するゴルフクラブシャフト１の後端部を固定した状態で先端部を振動させて測定した単位時間当たりの振動数ｆ１（ｃｐｍ）と、該ゴルフクラブシャフト１の先端部を固定した状態で後端部を振動させて測定した単位時間当たりの振動数ｆ２（ｃｐｍ）との和の大きさは、ゴルフクラブの番手の順序又はロフト角θの大きさの順序に対応して略線形的に変化している。
【００４８】
振動数の和の大きさを番手間で調整する方法は、特に限定されるものではないが、例えば、シャフト素材の先端部及び後端部のカット長さによる調整が挙げられる。例えば、単体長さが１０００ｍｍのシャフト素材を９６０ｍｍにカットしてゴルフクラブシャフトを形成し、そのゴルフクラブシャフトを用いてゴルフクラブを組み立てる場合、シャフト素材の後端部を４０ｍｍカットしたゴルフクラブシャフトと、シャフト素材の先端部を４０ｍｍカットしたゴルフクラブシャフトでは、振動数の和が相違する。このことを利用して、振動数の和の大きさを番手間で調整することが可能である。勿論、ゴルフクラブシャフトの設計段階から曲げ剛性の設定等により振動数の和の大きさを番手間で調整しても良い。
【００４９】
ここで、ゴルフクラブシャフトの振動数の測定方法について説明する。この振動数は、図７及び図８に示すような振動数測定器１０により測定される。振動数測定器１０は、ゴルフクラブのゴルフクラブシャフト１の一端部を固定するチャック部１１と、ゴルフクラブシャフト１の他端部の振動数を光学センサを用いて計測する計測部１２を備えている。このような振動数測定器は、市販されている公知のものであれば良く、例えば、クラブタイミングハーモナイザー（藤倉ゴム工業株式会社製）等が例示される。
【００５０】
上記振動数測定器１０を用いて、図７に示すように、ゴルフクラブシャフト１の後端部をチャック部１１に固定すると共に、ゴルフクラブシャフト１の先端部に重量体１３を装着し、この状態からゴルフクラブシャフト１の先端部を鉛直方向に振動させて１分間当たりのゴルフクラブシャフト１の振動数ｆ１（ｃｐｍ）を測定する。また、図８に示すように、ゴルフクラブシャフト１の先端部をチャック部１１に固定すると共に、ゴルフクラブシャフト１の後端部に重量体１３を装着し、この状態からゴルフクラブシャフト１の後端部を鉛直方向に振動させて１分間当たりのゴルフクラブシャフト１の振動数ｆ２（ｃｐｍ）を測定する。そして、両者の振動数の和（ｆ１＋ｆ２）を求める。このような振動数の和（ｆ１＋ｆ２）を求めることによって、ゴルフクラブシャフト１における剛性分布に起因する振動数の数値の変化を相殺し、有効なゴルフクラブシャフト硬さが得られるのである。
【００５１】
本発明における振動数測定において、振動数測定器に固定するゴルフクラブシャフトの周方向の位置は、後端部を固定する場合と先端部を固定する場合で一定又は概ね一定に保つことが好ましい。一定に保つためには、図９に示すようにゴルフクラブシャフト１に線３１を設けて、図１０に示すような後端部１０１を固定した場合と、図１１に示すような先端部１０２を固定した場合において、線３１が振動数測定器１０に対して同じ向き又は概ね同じ向きを示すようにすると分かりやすい。前記概ね一定とは、図１０及び図１１に示す線３１が真上を向いた状態に対して、周方向のずれが２０度以内、好ましくは１０度以内、より好ましくは５度以内である。ゴルフクラブシャフトは製品自体のばらつきのため周方向によって振動数の数値に若干のばらつきが生じる可能性があるため、前記したような一定又は概ね一定の周方向によって測定することが好ましい。
【００５２】
前記したように、ゴルフクラブシャフト自体の周方向における振動数の数値にばらつきが若干生じる可能性があることより、同じゴルフクラブシャフトを、図１０、図１１に示すように測定した場合と、図１２、図１３に示すように、図１０、図１１に対してゴルフクラブシャフトをそれぞれ周方向に９０度回転させて固定し測定した場合とでは、振動数の和及び比率が変化する可能性がある。そこでゴルフクラブとして組み立てる際に、ゴルフクラブシャフトの固定位置を一定にすると好ましい。詳しくは、図１０、図１１に示す固定方法にて測定された図９に示すゴルフクラブシャフトを、図１４に示すように、ゴルフクラブ２１において、ゴルフクラブヘッド３のフェース部１０３を正面にして、水平面１１１にライ角度通りに置いた正面図において、線３１が正面を向くような位置もしくは概ね正面を向くような位置に固定することが好ましい。ゴルフクラブシャフトの測定値をゴルフクラブに反映させるためには、図１５に示す振動数測定器１０にて測定されるゴルフクラブシャフト１の振動する方向と、図１６に示すゴルフクラブ２１が実際のスイング中に主に撓る方向を一致させることが最も好ましいが、そのためには図１０、図１１に示す固定方法にて測定されたゴルフクラブシャフト１を、図１４に示す位置に固定してゴルフクラブ２１として構成すれば良いことが分かる。前記概ね正面を向く位置とは、図１４に示す線３１が真正面を向く位置に対して、周方向のずれが１５度以内、好ましくは１０度以内、より好ましくは５度以内、更に好ましくは３度以内のずれである。
【００５３】
また、ゴルフクラブシャフト単体においても図１７に示すように線３１と同軸上にロゴマーク３２を印刷等の手段によってゴルフクラブシャフト１に設け、図１８に示すように、ゴルフクラブ２１のフェース部１０３を正面にして、水平面１１１にライ角度通りに置いた正面図において、線３１及びロゴマーク３２が正面を向くような位置もしくは概ね正面を向くような位置に固定することが好ましい。また、図１９に示すようにロゴマーク３２をゴルフクラブ２１をトウ側より見た方向に対して正面に設けたい場合は、図２０に示すように、ゴルフクラブシャフトの段階において、線３１とロゴマーク３２が周方向に対して９０度ずれた位置関係になるように設定すれば良い。
【００５４】
以上においては、図１５における振動数測定においてゴルフクラブシャフトの振動する方向と、図１６におけるゴルフクラブが実際のスイング中に主に撓る方向を一致させることが最も好ましいと説明したが、例えば図１０、図１１に示す固定方法にて測定された図９に示すゴルフクラブシャフトを、図２１に示すように、ゴルフクラブとして組み立てることも考えられる。つまり、ゴルフクラブシャフトの振動する方向と、ゴルフクラブが実際のスイング中に主に撓る方向が９０度ずれているということである。確かにゴルフクラブシャフトの振動する方向と、ゴルフクラブが実際のスイング中に主に撓る方向を一致させることが最も好ましいが、ゴルフクラブシャフトの振動する方向と、ゴルフクラブが実際のスイング中に主に撓る方向にある一定の関係をもって設定することは、一定の関係をもって設定しないことよりも好ましいことである。実際に従来の振動数測定においては、図２２に示すように、ゴルフクラブ２１のトウ部１０４を下側にして固定して測定する場合が多く、その意味から言うと、ゴルフクラブシャフトの振動する方向と、ゴルフクラブが実際のスイング中に主に撓る方向が９０度ずれている例である。
【００５５】
以上に示した振動数測定方向の設定において用いられた線３１は、完成状態であるゴルフクラブにおいて、グリップに隠れてしまっても良いことは言うまでもない。線３１は、振動数測定において目印となればよく、ゴルフクラブの状態においてはデザイン上の都合により、見せるようにしたり隠したりと適宜選択できるものである。
【００５６】
本発明におけるゴルフクラブシャフトの先端部とはゴルフクラブヘッドを装着する端部であり、後端部とはグリップ又はグリップ部を設ける端部である。図２３に示すゴルフクラブにおいては、グリップ２を装着する端部を後端部１０１とし、ゴルフクラブヘッド３を装着する端部を先端部１０２としている。一般のゴルフクラブシャフト１においては、グリップ２を装着する後端部１０１の方がゴルフクラブヘッド３を装着する先端部１０２よりも直径が大きいが、図２４に示すゴルフクラブのように、ゴルフクラブヘッド３を装着する先端部１０２の方がグリップ２を装着する後端部１０１よりも直径が大きいゴルフクラブも考えられる。
【００５７】
また、ゴルフクラブによっては図２５に示すように、ゴルフクラブシャフト１の一部がグリップ部１０５となっているゴルフクラブが存在する。この場合は、グリップ部１０５となる端部を後端部１０１、ゴルフクラブヘッド３を装着する端部を先端部１０２とする。
【００５８】
上記振動数の測定において、ゴルフクラブシャフト１の拘束長さは１７８ｍｍにするが、１７７．５ｍｍ〜１７８．５ｍｍであれば、実質的に同一の振動数の数値が得られるため本発明に包含される。また、重量体１３の質量は２００ｇにするが、１９９．５ｇ〜２００．５ｇであれば、実質的に同一の振動数の数値が得られるため本発明に包含される。更に、重量体１３の装着長さは３０ｍｍにするが、２９．５ｍｍ〜３０．５ｍｍであれば、実質的に同一の振動数の数値が得られるため本発明に包含される。
【００５９】
本発明における拘束長さとは、図２６（ａ）に示すようにゴルフクラブシャフト１の端面１２１がゴルフクラブシャフト軸１２２に対して垂直であれば、端面１２１からチャック部１１のチャック１１ａまでの距離（Ｄａ）となる。また、図２６（ｂ）に示すように端面１２１がゴルフクラブシャフト軸１２２に対して垂直でない場合は、端面１２１の最も張り出している位置からチャック部１１のチャック１１ａまでの距離（Ｄｂ）となる。また、固定手段は、上下から挟むことによる固定、ドリルチャックによる固定等、ゴルフクラブシャフトをしっかり固定することが可能な限り特に限定しない。
【００６０】
重量体は、ゴルフクラブシャフトにしっかり装着することができるもので、形状としては主に円筒形、直方体、多角柱等が挙げられるが特に限定されるものではない。また、鉛テープのような或る程度質量があるような粘着体をゴルフクラブシャフトに巻き付けても良い。重量体の重心位置は、ゴルフクラブシャフト軸近傍にあることが好ましい。数値的には重心位置がゴルフクラブシャフト固定状態において、ゴルフクラブシャフト軸から５ｍｍ以内にあることが好ましい。
【００６１】
重量体の構造は、直径が異なるゴルフクラブシャフトをしっかり固定するために、ドリルチャック等の構造が考えられる。また、他の重量体の例として、図２７に示すように、鉛等からなる重量体テープ６１をゴルフクラブシャフト１の外周に巻き付けて固定することも考えられる。重量体テープの材質は特に限定されるものではないが、ゴルフクラブシャフトにしっかり巻き付け固定できる材質が好ましい。重量体テープの構造は一般的に重量体層と両面テープ等の粘着層との積層構造であり、形状は一般的なテープと同様に幅の変化が少ない長方形状であることが好ましい。長手方向にわたる幅の変化は１ｍｍ以内であることが好ましい。また、図２８（ａ）に示すように、重量体テープ６１の長手方向にわたる最大幅をＤｘとすると、図２８（ｂ）に示すように、端面１２１から幅Ｄｙの範囲内（Ｄｙ≧Ｄｘ）に、Ｄｙ≦Ｄｘ＋５ｍｍ、好ましくはＤｙ≦Ｄｘ＋３ｍｍとなるように全ての鉛テープが巻き付けられることが好ましい。
【００６２】
上記ゴルフクラブセットにおいて、ロフト角度θが１６度〜４１度の範囲に含まれるゴルフクラブをロフト角度が最小の番手から順番に１から始まる連続する自然数Ｘで表し、かつ上記振動数の和をＹ（ｃｐｍ）としたとき、Ｘ−Ｙ座標上に各ゴルフクラブの自然数Ｘに対応する振動数の和Ｙをプロットすると、ロフト角度θが１６度〜４１度の範囲に含まれる全てのゴルフクラブについてのプロットが直線又は概ね直線になっている。
【００６３】
図２９は、ゴルフクラブの番手の順序の対応する自然数Ｘと振動数の和Ｙとの関係を示すグラフであり、Ａは本発明の理想的なゴルフクラブセットにおける関係を示し、Ｂは従来のゴルフクラブセットにおける関係を示している。つまり、従来のゴルフクラブセットでは番手と振動数の和とが一定の相関性を持たない関係にあったが、本発明の理想的なゴルフクラブセットでは番手と振動数の和とが一定の相関性を持っているため、ゴルフクラブセット全体を通して調和したゴルフクラブシャフト硬さが得られるのである。
【００６４】
より具体的には、ロフト角度θが１６度〜４１度の範囲に含まれるゴルフクラブについて、振動数の和Ｙを自然数Ｘに対して下記の式（１）で定まる範囲に設定するのである。
【００６５】
ａＸ＋ｂ≦Ｙ≦ａＸ＋ｂ＋１２      （１）
但し、係数ａ，ｂは任意の定数である。
【００６６】
つまり、振動数の和Ｙの値は、平行な２直線であるＹ＝ａＸ＋ｂとＹ＝ａＸ＋ｂ＋１２で挟まれる範囲に含まれるが、より好ましくはＹ＝ａＸ＋ｂとＹ＝ａＸ＋ｂ＋９で挟まれる範囲に含まれ、更に好ましくはＹ＝ａＸ＋ｂとＹ＝ａＸ＋ｂ＋６で挟まれる範囲に含まれるのが良い。本発明では、１６≦θ≦４１を満足するゴルフクラブについて、自然数Ｘに対して振動数の和Ｙをプロットした全ての点が上記２直線に挟まれる範囲に含まれるような係数ａ，ｂの組み合わせが少なくとも１通り存在すれば良い。
【００６７】
上記係数ａは、特に限定されるものではないが、その数値の範囲を限定することによってゴルファーの好みに合わせたゴルフクラブセットを構成することが可能である。
【００６８】
係数ａを２４以下、好ましくは０以上２４以下、より好ましくは４以上２０以下とした場合、ロフト角度θが相対的に小さいゴルフクラブのゴルフクラブシャフトが硬いゴルフクラブセットとなる。このようなゴルフクラブセットは、主に、ロフト角度θが小さい番手ほど、力を入れてスイングして飛距離を得ようとするゴルファーのタイプに好適である。
【００６９】
係数ａを２４以上、好ましくは２４以上４８以下、より好ましくは２８以上４４以下とした場合、ロフト角度θが相対的に小さいゴルフクラブのゴルフクラブシャフトが軟らかいゴルフクラブセットとなる。このようなゴルフクラブセットは、主に、ロフト角度θが小さい番手ほど、クラブ長さを利用してゆったりスイングする感覚で確実に番手相応の飛距離を得ようとするゴルファーのタイプに好適である。
【００７０】
上記係数ａの効果はあくまでも一般的な傾向を示すものである。そのため、ゴルファーは、自分の技術レベル、好みのゴルフクラブシャフトの撓り、フィーリング、好みの戦略、好みの打球感等を勘案して、所定の係数ａを有するゴルフクラブセットを選択することが可能である。
【００７１】
上記自然数Ｘを変数とする２直線を用いて振動数の和Ｙの線形的な変化を特定する以外に、自然数Ｘに対して振動数の和Ｙをプロットした全て点の回帰直線を用いて振動数の和Ｙの線形的な変化を特定しても良い。
【００７２】
つまり、ロフト角度θが１６度〜４１度の範囲に含まれるゴルフクラブについて、自然数Ｘに対する振動数の和Ｙの分布を回帰直線で回帰した際、該回帰直線に対する推定誤差が８（ｃｐｍ）以下となるように振動数の和Ｙを設定するのである。この推定誤差が８（ｃｐｍ）以下とは、ゴルフクラブの番手に応じて定まる自然数Ｘと振動数の和Ｙを回帰直線の関数に入力して計算される推定値と、振動数の和Ｙとの誤差が絶対値で８（ｃｐｍ）以下、即ち、−８（ｃｐｍ）以上＋８（ｃｐｍ）以下であることを指す。この場合、推定誤差は、好ましくは６（ｃｐｍ）以下、より好ましくは４（ｃｐｍ）以下であることが望ましい。
【００７３】
上記自然数Ｘに対する振動数の和Ｙの回帰直線の傾きは、特に限定されるものではないが、その数値の範囲を限定することによってゴルファーの好みに合わせたゴルフクラブセットを構成することが可能である。
【００７４】
上記傾きを２４以下、好ましくは０以上２４以下、より好ましくは４以上２０以下とした場合、ロフト角度θが相対的に小さいゴルフクラブのゴルフクラブシャフトが硬いゴルフクラブセットとなる。このようなゴルフクラブセットは、主に、ロフト角度θが小さい番手ほど、力を入れてスイングして飛距離を得ようとするゴルファーのタイプに好適である。
【００７５】
上記傾きを２４以上、好ましくは２４以上４８以下、より好ましくは２８以上４４以下とした場合、ロフト角度θが相対的に小さいゴルフクラブのゴルフクラブシャフトが軟らかいゴルフクラブセットとなる。このようなゴルフクラブセットは、主に、ロフト角度θが小さい番手ほど、クラブ長さを利用してゆったりスイングする感覚で確実に番手相応の飛距離を得ようとするゴルファーのタイプに好適である。
【００７６】
上記傾きの効果はあくまでも一般的な傾向を示すものである。そのため、ゴルファーは、自分の技術レベル、好みのゴルフクラブシャフトの撓り、フィーリング、好みの戦略、好みの打球感等を勘案して、上記回帰直線について所定の傾きを有するゴルフクラブセットを選択することが可能である。
【００７７】
上述のように自然数Ｘに対して振動数の和Ｙを線形的に変化させることに加えて、ゴルフクラブシャフトの後端部を固定した状態で測定した振動数ｆ１と、該ゴルフクラブシャフトの先端部を固定した状態で測定した振動数ｆ２との比率（ｆ１／ｆ２）をＺとしたとき、この振動数の比率Ｚを自然数Ｘに対して線形的に変化させることが好ましい。
【００７８】
つまり、ロフト角度θが１６度〜４１度の範囲に含まれるゴルフクラブについて、自然数Ｘに対する振動数の比率Ｚの分布を回帰直線で回帰した際、該回帰直線に対する推定誤差が０．１５以下、好ましくは０．１以下、より好ましくは０．０５以下となるように振動数の比率Ｚを設定すると良い。上記関係に設定することによって、ゴルフクラブセット全体を通して調和したゴルフクラブシャフトの硬さがより正確に得られる。
【００７９】
また、上記ゴルフクラブセットにおいて、自然数Ｘの替わりにロフト角度θを利用し、θ−Ｙ座標上に各ゴルフクラブのロフト角度θに対応する振動数の和Ｙをプロットすると、ロフト角度θが１６度〜４１度の範囲に含まれる全てのゴルフクラブについてのプロットが直線又は概ね直線になっている。
【００８０】
図３０は、ロフト角度θと振動数の和Ｙとの関係を示すグラフであり、Ａは本発明の理想的なゴルフクラブセットにおける関係を示し、Ｂは従来のゴルフクラブセットにおける関係を示している。つまり、従来のゴルフクラブセットではロフト角度と振動数の和とが一定の相関性を持たない関係にあったが、本発明の理想的なゴルフクラブセットではロフト角度と振動数の和とが一定の相関性を持っているため、ゴルフクラブセット全体を通して調和したゴルフクラブシャフト硬さが得られるのである。
【００８１】
より具体的には、ロフト角度θが１６度〜４１度の範囲に含まれるゴルフクラブについて、振動数の和Ｙをロフト角度θに対して下記の式（２）で定まる範囲に設定するのである。
【００８２】
ｃθ＋ｄ≦Ｙ≦ｃθ＋ｄ＋１２      （２）
但し、係数ｃ，ｄは任意の定数である。
【００８３】
つまり、振動数の和Ｙの値は、平行な２直線であるＹ＝ｃθ＋ｄとＹ＝ｃθ＋ｄ＋１２で挟まれる範囲に含まれるが、より好ましくはＹ＝ｃθ＋ｄとＹ＝ｃθ＋ｄ＋９で挟まれる範囲に含まれ、更に好ましくはＹ＝ｃθ＋ｄとＹ＝ｃθ＋ｄ＋６で挟まれる範囲に含まれるのが良い。本発明では、１６≦θ≦４１を満足するゴルフクラブについて、ロフト角度θに対して振動数の和Ｙをプロットした全ての点が上記２直線に挟まれる範囲に含まれるような係数ｃ，ｄの組み合わせが少なくとも１通り存在すれば良い。
【００８４】
上記係数ｃは、特に限定されるものではないが、その数値の範囲を限定することによってゴルファーの好みに合わせたゴルフクラブセットを構成することが可能である。
【００８５】
係数ｃを６以下、好ましくは０以上６以下、より好ましくは１以上５以下とした場合、ロフト角度θが相対的に小さいゴルフクラブのゴルフクラブシャフトが硬いゴルフクラブセットとなる。このようなゴルフクラブセットは、主に、ロフト角度θが小さい番手ほど、力を入れてスイングして飛距離を得ようとするゴルファーのタイプに好適である。
【００８６】
係数ｃを６以上、好ましくは６以上１２以下、より好ましくは７以上１１以下とした場合、ロフト角度θが相対的に小さいゴルフクラブのゴルフクラブシャフトが軟らかいゴルフクラブセットとなる。このようなゴルフクラブセットは、主に、ロフト角度θが小さい番手ほど、クラブ長さを利用してゆったりスイングする感覚で確実に番手相応の飛距離を得ようとするゴルファーのタイプに好適である。
【００８７】
上記係数ｃの効果はあくまでも一般的な傾向を示すものである。そのため、ゴルファーは、自分の技術レベル、好みのゴルフクラブシャフトの撓り、フィーリング、好みの戦略、好みの打球感等を勘案して、所定の係数ｃを有するゴルフクラブセットを選択することが可能である。
【００８８】
上記ロフト角度θを変数とする２直線を用いて振動数の和Ｙの線形的な変化を特定する以外に、ロフト角度θに対して振動数の和Ｙをプロットした全て点の回帰直線を用いて振動数の和Ｙの線形的な変化を特定しても良い。
【００８９】
つまり、ロフト角度θが１６度〜４１度の範囲に含まれるゴルフクラブについて、ロフト角度θに対する振動数の和Ｙの分布を回帰直線で回帰した際、該回帰直線に対する推定誤差が８（ｃｐｍ）以下となるように振動数の和Ｙを設定するのである。この推定誤差が８（ｃｐｍ）以下とは、ゴルフクラブのロフト角度θと振動数の和Ｙを回帰直線の関数に入力して計算される推定値と、振動数の和Ｙとの誤差が絶対値で８（ｃｐｍ）以下、即ち、−８（ｃｐｍ）以上＋８（ｃｐｍ）以下であることを指す。この場合、推定誤差は、好ましくは６（ｃｐｍ）以下、より好ましくは４（ｃｐｍ）以下であることが望ましい。
【００９０】
上記ロフト角度θに対する振動数の和Ｙの回帰直線の傾きは、特に限定されるものではないが、その数値の範囲を限定することによってゴルファーの好みに合わせたゴルフクラブセットを構成することが可能である。
【００９１】
上記傾きを６以下、好ましくは０以上６以下、より好ましくは１以上５以下とした場合、ロフト角度θが相対的に小さいゴルフクラブのゴルフクラブシャフトが硬いゴルフクラブセットとなる。このようなゴルフクラブセットは、主に、ロフト角度θが小さい番手ほど、力を入れてスイングして飛距離を得ようとするゴルファーのタイプに好適である。
【００９２】
上記傾きを６以上、好ましくは６以上１２以下、より好ましくは７以上１１以下とした場合、ロフト角度θが相対的に小さいゴルフクラブのゴルフクラブシャフトが軟らかいゴルフクラブセットとなる。このようなゴルフクラブセットは、主に、ロフト角度θが小さい番手ほど、クラブ長さを利用してゆったりスイングする感覚で確実に番手相応の飛距離を得ようとするゴルファーのタイプに好適である。
【００９３】
上記傾きの効果はあくまでも一般的な傾向を示すものである。そのため、ゴルファーは、自分の技術レベル、好みのゴルフクラブシャフトの撓り、フィーリング、好みの戦略、好みの打球感等を勘案して、上記回帰直線について所定の傾きを有するゴルフクラブセットを選択することが可能である。
【００９４】
上述のようにロフト角度θに対して振動数の和Ｙを線形的に変化させることに加えて、ゴルフクラブシャフトの後端部を固定した状態で測定した振動数ｆ１と、該ゴルフクラブシャフトの先端部を固定した状態で測定した振動数ｆ２との比率（ｆ１／ｆ２）をＺとしたとき、この振動数の比率Ｚをロフト角度θに対して線形的に変化させることが好ましい。
【００９５】
つまり、ロフト角度θが１６度〜４１度の範囲に含まれるゴルフクラブについて、ロフト角度θに対する振動数の比率Ｚの分布を回帰直線で回帰した際、該回帰直線に対する推定誤差が０．１５以下、好ましくは０．１以下、より好ましくは０．０５以下となるように振動数の比率Ｚを設定すると良い。上記関係に設定することによって、ゴルフクラブセット全体を通して調和したゴルフクラブシャフトの硬さがより正確に得られる。
【００９６】
上記ゴルフクラブセットにおいて、ロフト角度θが１６度〜４１度の範囲のゴルフクラブに装着されるゴルフクラブシャフトを、ゴルフクラブシャフトの長さが最長の番手から順番に１から始まる連続する自然数Ｘで表し、かつ上記振動数の和をＹ（ｃｐｍ）としたとき、Ｘ−Ｙ座標上に各ゴルフクラブの自然数Ｘに対応する振動数の和Ｙをプロットすると、ロフト角度θが１６度〜４１度の範囲のゴルフクラブに装着される全てのゴルフクラブシャフトについてのプロットが直線又は概ね直線になっている。
【００９７】
ゴルフクラブセットでは、一般にゴルフクラブの番手が大きくなるほどゴルフクラブシャフトの長さが短くなる。そのため、ゴルフクラブシャフトセットにおける自然数Ｘと振動数の和Ｙとの関係は、前述したゴルフクラブセットの場合と同様にすれば良い。
【００９８】
また、上記ゴルフクラブセットにおいて、自然数Ｘの替わりにゴルフクラブシャフトの長さＬを利用し、Ｌ−Ｙ座標上に各ゴルフクラブシャフトの長さＬに対応する振動数の和Ｙをプロットすると、ロフト角度θが１６度〜４１度の範囲のゴルフクラブに装着される全てのゴルフクラブシャフトについてのプロットが直線又は概ね直線になっている。
【００９９】
図３１は、ゴルフクラブシャフトの長さＬと振動数の和Ｙとの関係を示すグラフであり、Ａは本発明の理想的なゴルフクラブセットにおける関係を示し、Ｂは従来のゴルフクラブセットにおける関係を示している。つまり、従来のゴルフクラブセットではゴルフクラブシャフトの長さと振動数の和とが一定の相関性を持たない関係にあったが、本発明の理想的なゴルフクラブセットではゴルフクラブシャフトの長さと振動数の和とが一定の相関性を持っているため、ゴルフクラブセット全体を通して調和したゴルフクラブシャフト硬さが得られるのである。
【０１００】
より具体的には、ロフト角度θが１６度〜４１度の範囲のゴルフクラブに装着されるゴルフクラブシャフトについて、ゴルフクラブシャフトの長さＬに対する振動数の和Ｙの分布を回帰直線で回帰した際、該回帰直線に対する推定誤差が８（ｃｐｍ）以下となるように振動数の和Ｙを設定するのである。この推定誤差が８（ｃｐｍ）以下とは、ゴルフクラブシャフトの長さＬと振動数の和Ｙを回帰直線の関数に入力して計算される推定値と、振動数の和Ｙとの誤差が絶対値で８（ｃｐｍ）以下、即ち、−８（ｃｐｍ）以上＋８（ｃｐｍ）以下であることを指す。この場合、推定誤差は、好ましくは６（ｃｐｍ）以下、より好ましくは４（ｃｐｍ）以下であることが望ましい。
【０１０１】
また、ロフト角度θが１６度〜４１度の範囲外にわたって上記関係が保たれていても良い。例えば、ゴルフクラブシャフトセット全体にわたって上記関係が保たれていても良い。
【０１０２】
上記ゴルフクラブシャフトの長さＬに対する振動数の和Ｙの回帰直線の傾きは、特に限定されるものではないが、その数値の範囲を限定することによってゴルファーの好みに合わせたゴルフクラブセットを構成することが可能である。
【０１０３】
上記傾きを−１．８５以上、好ましくは−１．８５以上０以下、より好ましくは−１．５５以上−０．３以下とした場合、ゴルフクラブシャフトの長さＬが相対的に大きいゴルフクラブのゴルフクラブシャフトが硬いゴルフクラブセットとなる。このようなゴルフクラブセットは、主に、ゴルフクラブシャフトの長さＬが大きい番手ほど、力を入れてスイングして飛距離を得ようとするゴルファーのタイプに好適である。
【０１０４】
上記傾きを−１．８５以下、好ましくは−３．７以上−１．８５以下、より好ましくは−３．４以上−２．１５以下とした場合、ゴルフクラブシャフトの長さＬが相対的に大きいゴルフクラブのゴルフクラブシャフトが軟らかいゴルフクラブセットとなる。このようなゴルフクラブセットは、主に、ゴルフクラブシャフトの長さＬが大きい番手ほど、クラブ長さを利用してゆったりスイングする感覚で確実に番手相応の飛距離を得ようとするゴルファーのタイプに好適である。
【０１０５】
上記傾きの効果はあくまでも一般的な傾向を示すものである。そのため、ゴルファーは、自分の技術レベル、好みのゴルフクラブシャフトの撓り、フィーリング、好みの戦略、好みの打球感等を勘案して、上記回帰直線について所定の傾きを有するゴルフクラブセットを選択することが可能である。
【０１０６】
上述のようにゴルフクラブシャフトの長さＬに対して振動数の和Ｙを線形的に変化させることに加えて、ゴルフクラブシャフトの後端部を固定した状態で測定した振動数ｆ１と、該ゴルフクラブシャフトの先端部を固定した状態で測定した振動数ｆ２との比率（ｆ１／ｆ２）をＺとしたとき、この振動数の比率Ｚをゴルフクラブシャフトの長さＬに対して線形的に変化させることが好ましい。
【０１０７】
つまり、ロフト角度θが１６度〜４１度の範囲のゴルフクラブに装着されるゴルフクラブシャフトについて、長さＬに対する振動数の比率Ｚの分布を回帰直線で回帰した際、該回帰直線に対する推定誤差が０．１５以下、好ましくは０．１以下、より好ましくは０．０５以下となるように振動数の比率Ｚを設定すると良い。上記関係に設定することによって、ゴルフクラブセット全体を通して調和したゴルフクラブシャフトの硬さがより正確に得られる。
【０１０８】
本発明における振動数の和については特に限定しないが、ゴルフクラブシャフトのより十分な耐久性を得ることが可能な和の範囲は、ゴルフクラブシャフトの後端部を後端から１７８ｍｍの長さで拘束すると共に先端部に先端から３０ｍｍの長さにわたって質量２００ｇの重量体を装着した状態で該先端部を振動させて測定した単位時間当たりの振動数（ｃｐｍ）と、該ゴルフクラブシャフトの先端部を先端から１７８ｍｍの長さで拘束すると共に後端部に後端から３０ｍｍの長さにわたって質量２００ｇの重量体を装着した状態で該後端部を振動させて測定した単位時間当たりの振動数（ｃｐｍ）との和の範囲が、２００〜１５００ｃｐｍ、好ましくは２５０〜１４００ｃｐｍ、より好ましくは２８０〜１３００ｃｐｍである。
【０１０９】
また、本発明における振動数の比率については特に限定しないが、ゴルフクラブシャフトのより十分な耐久性を得ることが可能な比率の範囲は、０．２５〜４．０、好ましくは０．２７８〜３．６、より好ましくは０．３１２５〜３．２である。特に、ゴルフクラブシャフトの後端部を後端から１７８ｍｍの長さで拘束すると共に先端部に先端から３０ｍｍの長さにわたって質量２００ｇの重量体を装着した状態で該先端部を振動させて測定した単位時間当たりの振動数を分子とし、該ゴルフクラブシャフトの先端部を先端から１７８ｍｍの長さで拘束すると共に後端部に後端から３０ｍｍの長さにわたって質量２００ｇの重量体を装着した状態で該後端部を振動させて測定した単位時間当たりの振動数を分母とする振動数の比率の範囲についても同様である。
【０１１０】
上述した本発明の構成は、特に繊維強化樹脂製のゴルフクラブシャフトを用いたゴルフクラブセット及びゴルフクラブシャフトセットに適用した場合に顕著な作用効果を奏するのである。
【０１１１】
繊維強化樹脂製のゴルフクラブシャフトは、強化繊維の種類、配向方向の選択が自由で、ゴルフクラブシャフトの剛性分布を長手方向に渡って変化させる等設計の自由度が金属製ゴルフクラブシャフトよりも大きい。特に最近では、ゴルフクラブの長さが長くなり、それに伴ってゴルフクラブシャフトの剛性分布の変化がより大きくなっている。そのため、ゴルフクラブシャフトが繊維強化樹脂製である場合、従来の指標に基づいてゴルフクラブシャフトの硬さを番手間で調和させるようにゴルフクラブセットを設計しても、人が実際に感じるゴルフクラブシャフトの硬さを番手間で調和させることは極めて困難であった。
【０１１２】
これに対して本発明では、ゴルフクラブシャフトが繊維強化樹脂製である場合であっても、人が実際に感じるゴルフクラブシャフトの硬さを番手間で調和させたゴルフクラブセットを容易に構成することができる。
【０１１３】
本発明におけるゴルフクラブセットとは、アイアンゴルフクラブセット、ウッドゴルフクラブセット、ウッドゴルフクラブとアイアンゴルフクラブを含むゴルフクラブセット、ロングアイアンに相当するものだけを含むゴルフクラブセット、ウッドゴルフクラブとアイアンゴルフクラブとの中間的性能を備えるユーティリティクラブを含むゴルフクラブセット、ウッドゴルフクラブやアイアンゴルフクラブに分類することができないゴルフクラブからなるゴルフクラブセット等のようにロフト角度が種々異なる複数本のゴルフクラブによって構成されるものである。
【０１１４】
【実施例】
ロフト角度を種々異ならせた複数本のゴルフクラブを含むゴルフクラブセットにおいて、ゴルフクラブシャフトの振動特性だけを種々異ならせた実施例１〜１８及び比較例１〜２のゴルフクラブセットをそれぞれ製作した。これらゴルフクラブセットにおいて、同一のロフト角度を有するゴルフクラブには同一のゴルフクラブヘッド及びグリップを装着した。クラブ長さは、最も長いゴルフクラブ（＃３）を３９．０インチとし、番手毎に０．５インチずつ短くし、最も短いゴルフクラブ（＃８）を３６．５インチとした。ゴルフクラブシャフトは繊維強化樹脂製ゴルフクラブシャフトを用いた。
【０１１５】
各ゴルフクラブのゴルフクラブシャフトの長さは、実施例１〜１８及び比較例１〜２において、＃３を９６２ｍｍ、＃４を９４９ｍｍ、＃５を９３６ｍｍ、＃６を９２３ｍｍ、＃７を９１０ｍｍ、＃８を８９７ｍｍとした。
【０１１６】
表１〜表２０には、それぞれ実施例１〜１８及び比較例１〜２のゴルフクラブセットについて、番手、自然数Ｘ、ロフト角度θ（度）、振動数ｆ１（ｃｐｍ）、振動数ｆ２（ｃｐｍ）、振動数の和Ｙ（ｃｐｍ）を示した。但し、振動数ｆ１は、ゴルフクラブシャフトの後端部を後端から１７８ｍｍの長さで拘束すると共に先端部に先端から３０ｍｍの長さにわたって質量２００ｇの重量体を装着した状態で該先端部を振動させて測定した単位時間当たりの振動数である。振動数ｆ２は、ゴルフクラブシャフトの先端部を先端から１７８ｍｍの長さで拘束すると共に後端部に後端から３０ｍｍの長さにわたって質量２００ｇの重量体を装着した状態で該後端部を振動させて測定した単位時間当たりの振動数である。振動数の和Ｙは、振動数ｆ１と振動数ｆ２との和である。
【０１１７】
【表１】
0004107375.tif 000002
【０１１８】
【表２】
0004107375.tif 000003
【０１１９】
【表３】
0004107375.tif 000004
【０１２０】
【表４】
0004107375.tif 000005
【０１２１】
【表５】
0004107375.tif 000006
【０１２２】
【表６】
0004107375.tif 000007
【０１２３】
【表７】
0004107375.tif 000008
【０１２４】
【表８】
0004107375.tif 000009
【０１２５】
【表９】
0004107375.tif 000010
【０１２６】
【表１０】
0004107375.tif 000011
【０１２７】
【表１１】
0004107375.tif 000012
【０１２８】
【表１２】
0004107375.tif 000013
【０１２９】
【表１３】
0004107375.tif 000014
【０１３０】
【表１４】
0004107375.tif 000015
【０１３１】
【表１５】
0004107375.tif 000016
【０１３２】
【表１６】
0004107375.tif 000017
【０１３３】
【表１７】
0004107375.tif 000018
【０１３４】
【表１８】
0004107375.tif 000019
【０１３５】
【表１９】
0004107375.tif 000020
【０１３６】
【表２０】
0004107375.tif 000021
【０１３７】
図３２〜図５１には、それぞれ実施例１〜１８及び比較例１〜２のゴルフクラブセットについて、自然数Ｘと振動数の和Ｙとの関係を示した。また、図５２〜図７１には、それぞれ実施例１〜１８及び比較例１〜２のゴルフクラブセットについて、ロフト角度θと振動数の和Ｙとの関係を示した。これら図３２〜図７１には、プロットした全ての点を挟み込む平行な２直線を併記した。
【０１３８】
表２１には、自然数Ｘに対する振動数の和Ｙの回帰直線の傾きと切片、その振動数の和Ｙと回帰直線との差の最大値と最小値を示すと共に、ロフト角度θに対する振動数の和Ｙの回帰直線の傾きと切片、その振動数の和Ｙと回帰直線との差の最大値と最小値を示した。更に、図７２〜図９１には、それぞれ実施例１〜１８及び比較例１〜２のゴルフクラブセットについて、自然数Ｘに対する振動数の和Ｙの回帰直線を示した。また、図９２〜図１１１には、それぞれ実施例１〜１８及び比較例１〜２のゴルフクラブセットについて、ロフト角度θに対する振動数の和Ｙの回帰直線を示した。
【０１３９】
表２２には、ゴルフクラブシャフトの長さＬに対する振動数の和Ｙの回帰直線の傾きと切片、その振動数の和Ｙと回帰直線との差の最大値と最小値を示した。更に、図１１２〜図１３１には、それぞれ実施例１〜１８及び比較例１〜２のゴルフクラブセットについて、ゴルフクラブシャフトの長さＬに対する振動数の和Ｙの回帰直線を示した。
【０１４０】
【表２１】
0004107375.tif 000022
【０１４１】
【表２２】
0004107375.tif 000023
【０１４２】
図３２〜図１３２及び表２１，２２を参照すると、実施例１〜１８のゴルフクラブセットは本発明で規定する条件を満足し、比較例１〜２のゴルフクラブセットは本発明で規定する条件を満足していないことが判る。
【０１４３】
上述した実施例１〜１８及び比較例１〜２の各ゴルフクラブについて、ゴルファーによる打球試験を行った。この打球試験では、１人のゴルファーが各ゴルフクラブで５球ずつ打球し、ゴルフクラブシャフトの硬さのフィーリングを評価した。評点は、１点：軟らかい、２点：やや軟らかい、３点：普通、４点：やや硬い、５点：硬いという評点をした。１人のゴルファーは１本のゴルフクラブにつき５球ずつ打球するが、評点は１回である。つまり、１本のゴルフクラブにつき５球打球して硬さのフィーリングを評価するということである。以上の評価を２００人のゴルファーによって行った。
【０１４４】
上記評点について、各ゴルフクラブにつき２００人の評点を合計し、集計点とした。ちなみに満点は、５（評点の最高点）×２００（ゴルファーの数）＝１０００点である。この集計点を表１〜表２０に併せて示した。この集計点の数値は、前述したような２００人のゴルファーより求めたゴルフクラブシャフト硬さの評点に基づいており、定量的にゴルフクラブシャフト硬さを示している数値と言える。
【０１４５】
そして、実施例１〜１８及び比較例１〜２のゴルフクラブセットについて、自然数Ｘに対する集計点の回帰直線を求め、その回帰直線に対する集計点の推定誤差の幅を求め、その結果を表２３に示した。推定誤差の幅とは、各例における集計点と回帰直線との差の最大値と、同様の差の最小値との差である。つまり、回帰直線に対して最も上に外れたデータと、最も下に外れたデータとの幅である。この推定誤差の幅が小さいほど、番手の順序（ロフト角度の大きさの順序）とゴルフクラブシャフト硬さとの間に直線的な相関性があることを意味する。
【０１４６】
【表２３】
0004107375.tif 000024
【０１４７】
この表２３に示すように、実施例１〜９のゴルフクラブセットは比較例１のゴルフクラブセットに比べて推定誤差の幅が小さく、セット全体にわたってゴルフクラブシャフト硬さが管理されていることが判る。一方、実施例１０〜１８のゴルフクラブセットは比較例２のゴルフクラブセットに比べて推定誤差の幅が小さく、セット全体にわたってゴルフクラブシャフト硬さが管理されていることが判る。
【０１４８】
【発明の効果】
以上説明したように本発明によれば、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、複数本のゴルフクラブのうち、連続した６つの番手を採用した６本のゴルフクラブについて、各ゴルフクラブを構成するゴルフクラブシャフトの後端部を固定した状態で先端部を撓り方向に振動させて測定した単位時間当たりの振動数と、該ゴルフクラブシャフトの先端部を固定した状態で後端部を撓り方向に振動させて測定した単位時間当たりの振動数との和の大きさを、ロフト角度の大きさの順序に関連付けて設定し、好ましくはロフト角度の大きさの順序に対応して略線形的に変化させたから、人が実際に感じるゴルフクラブシャフトの硬さを番手間で調和させることができる。
また、本発明によれば、ゴルフクラブセットを構成するための複数本のゴルフクラブシャフトからなるゴルフクラブシャフトセットにおいて、複数本のゴルフクラブシャフトのうち、連続した６つの番手を採用したゴルフクラブに装着される６本のゴルフクラブシャフトについて、各ゴルフクラブシャフトの後端部を固定した状態で先端部を撓り方向に振動させて測定した単位時間当たりの振動数と、該ゴルフクラブシャフトの先端部を固定した状態で後端部を撓り方向に振動させて測定した単位時間当たりの振動数との和の大きさを、ゴルフクラブシャフトの長さの順序に関連付けて設定し、好ましくはゴルフクラブシャフトの長さの順序に対応して略線形的に変化させたから、人が実際に感じるゴルフクラブシャフトの硬さを番手間で調和させることができる。
【図面の簡単な説明】
【図１】本発明の実施形態からなるゴルフクラブセットを構成する複数本のアイアンゴルフクラブをそれぞれ一部省略して示す側面図である。
【図２】ロフト角度θを説明するためのゴルクラブヘッドの側面図である。
【図３】ゴルフクラブヘッドの重心測定器を示す斜視図である。
【図４】ゴルフクラブヘッドの重心測定方法を示し、重心測定器にゴルフクラブヘッドを載せた状態の側面図である。
【図５】ゴルフクラブヘッドの重心測定方法を示し、（ａ）はゴルフクラブヘッドを重心測定器に対して平衡となる位置に載せた状態の側面図、（ｂ）はゴルフクラブヘッドを重心測定器に対して平衡とならない位置に載せた状態の側面図である。
【図６】重心測定器の支持部の水平度を確認する方法を示し、水準器を重心測定器に載せた状態の側面図である。
【図７】ゴルフクラブシャフト後端部を固定した状態で振動数を測定する方法を説明するための振動数測定器の側面図である。
【図８】ゴルフクラブシャフト先端部を固定した状態で振動数を測定する方法を説明するための振動数測定器の側面図である。
【図９】標線を付与したゴルフクラブシャフトを示す斜視図である。
【図１０】振動数測定器に図９のゴルフクラブシャフトの後端部を固定した状態を示す平面図である。
【図１１】振動数測定器に図９のゴルフクラブシャフトの先端部を固定した状態を示す平面図である。
【図１２】振動数測定器に図９のゴルフクラブシャフトの後端部を固定した状態を示す側面図である。
【図１３】振動数測定器に図９のゴルフクラブシャフトの先端部を固定した状態を示す側面図である。
【図１４】図９のゴルフクラブシャフトを用いたゴルフクラブを示す正面図である。
【図１５】振動数測定器でのシャフト振動方向を示す側面図である。
【図１６】ゴルフクラブのスイング中のシャフトの主に撓る方向を示す側面図である。
【図１７】標線及びロゴマークを同軸上に付与したゴルフクラブシャフトを示す斜視図である。
【図１８】図１７のゴルフクラブシャフトを用いたゴルフクラブを示す正面図である。
【図１９】図２０のゴルフクラブシャフトを用いたゴルフクラブを示すトウ側より見た側面図である。
【図２０】標線及びロゴマークを周方向の異なる位置に付与したゴルフクラブシャフトを示す斜視図である。
【図２１】図９のゴルフクラブシャフトを用いた他のゴルフクラブを示すトウ側より見た側面図である。
【図２２】従来のゴルフクラブの評価方法において振動数測定器にゴルフクラブの後端部を固定した状態を示す側面図である。
【図２３】本発明においてゴルフクラブシャフトの後端部にグリップを装着したゴルフクラブを例示する正面図である。
【図２４】本発明においてゴルフクラブシャフトの先端部を後端部より太くしたゴルフクラブを例示する正面図である。
【図２５】本発明においてゴルフクラブシャフトの一部がグリップ部を構成するゴルフクラブを例示する正面図である。
【図２６】（ａ），（ｂ）は振動数測定器に対するゴルフクラブシャフトの固定部を示す平面図である。
【図２７】本発明に用いる重量体を例示する斜視図である。
【図２８】図２７の重量体を示し、（ａ）はその展開図、（ｂ）はその平面図である。
【図２９】本発明における自然数Ｘと振動数の和Ｙとの関係を示すグラフである。
【図３０】本発明におけるロフト角度θと振動数の和Ｙとの関係を示すグラフである。
【図３１】本発明におけるゴルフクラブシャフトの長さＬと振動数の和Ｙとの関係を示すグラフである。
【図３２】実施例１のゴルフクラブセットについて、自然数Ｘと振動数の和Ｙとの関係を示すグラフである。
【図３３】実施例２のゴルフクラブセットについて、自然数Ｘと振動数の和Ｙとの関係を示すグラフである。
【図３４】実施例３のゴルフクラブセットについて、自然数Ｘと振動数の和Ｙとの関係を示すグラフである。
【図３５】実施例４のゴルフクラブセットについて、自然数Ｘと振動数の和Ｙとの関係を示すグラフである。
【図３６】実施例５のゴルフクラブセットについて、自然数Ｘと振動数の和Ｙとの関係を示すグラフである。
【図３７】実施例６のゴルフクラブセットについて、自然数Ｘと振動数の和Ｙとの関係を示すグラフである。
【図３８】実施例７のゴルフクラブセットについて、自然数Ｘと振動数の和Ｙとの関係を示すグラフである。
【図３９】実施例８のゴルフクラブセットについて、自然数Ｘと振動数の和Ｙとの関係を示すグラフである。
【図４０】実施例９のゴルフクラブセットについて、自然数Ｘと振動数の和Ｙとの関係を示すグラフである。
【図４１】比較例１のゴルフクラブセットについて、自然数Ｘと振動数の和Ｙとの関係を示すグラフである。
【図４２】実施例１０のゴルフクラブセットについて、自然数Ｘと振動数の和Ｙとの関係を示すグラフである。
【図４３】実施例１１のゴルフクラブセットについて、自然数Ｘと振動数の和Ｙとの関係を示すグラフである。
【図４４】実施例１２のゴルフクラブセットについて、自然数Ｘと振動数の和Ｙとの関係を示すグラフである。
【図４５】実施例１３のゴルフクラブセットについて、自然数Ｘと振動数の和Ｙとの関係を示すグラフである。
【図４６】実施例１４のゴルフクラブセットについて、自然数Ｘと振動数の和Ｙとの関係を示すグラフである。
【図４７】実施例１５のゴルフクラブセットについて、自然数Ｘと振動数の和Ｙとの関係を示すグラフである。
【図４８】実施例１６のゴルフクラブセットについて、自然数Ｘと振動数の和Ｙとの関係を示すグラフである。
【図４９】実施例１７のゴルフクラブセットについて、自然数Ｘと振動数の和Ｙとの関係を示すグラフである。
【図５０】実施例１８のゴルフクラブセットについて、自然数Ｘと振動数の和Ｙとの関係を示すグラフである。
【図５１】比較例２のゴルフクラブセットについて、自然数Ｘと振動数の和Ｙとの関係を示すグラフである。
【図５２】実施例１のゴルフクラブセットについて、ロフト角度θと振動数の和Ｙとの関係を示すグラフである。
【図５３】実施例２のゴルフクラブセットについて、ロフト角度θと振動数の和Ｙとの関係を示すグラフである。
【図５４】実施例３のゴルフクラブセットについて、ロフト角度θと振動数の和Ｙとの関係を示すグラフである。
【図５５】実施例４のゴルフクラブセットについて、ロフト角度θと振動数の和Ｙとの関係を示すグラフである。
【図５６】実施例５のゴルフクラブセットについて、ロフト角度θと振動数の和Ｙとの関係を示すグラフである。
【図５７】実施例６のゴルフクラブセットについて、ロフト角度θと振動数の和Ｙとの関係を示すグラフである。
【図５８】実施例７のゴルフクラブセットについて、ロフト角度θと振動数の和Ｙとの関係を示すグラフである。
【図５９】実施例８のゴルフクラブセットについて、ロフト角度θと振動数の和Ｙとの関係を示すグラフである。
【図６０】実施例９のゴルフクラブセットについて、ロフト角度θと振動数の和Ｙとの関係を示すグラフである。
【図６１】比較例１のゴルフクラブセットについて、ロフト角度θと振動数の和Ｙとの関係を示すグラフである。
【図６２】実施例１０のゴルフクラブセットについて、ロフト角度θと振動数の和Ｙとの関係を示すグラフである。
【図６３】実施例１１のゴルフクラブセットについて、ロフト角度θと振動数の和Ｙとの関係を示すグラフである。
【図６４】実施例１２のゴルフクラブセットについて、ロフト角度θと振動数の和Ｙとの関係を示すグラフである。
【図６５】実施例１３のゴルフクラブセットについて、ロフト角度θと振動数の和Ｙとの関係を示すグラフである。
【図６６】実施例１４のゴルフクラブセットについて、ロフト角度θと振動数の和Ｙとの関係を示すグラフである。
【図６７】実施例１５のゴルフクラブセットについて、ロフト角度θと振動数の和Ｙとの関係を示すグラフである。
【図６８】実施例１６のゴルフクラブセットについて、ロフト角度θと振動数の和Ｙとの関係を示すグラフである。
【図６９】実施例１７のゴルフクラブセットについて、ロフト角度θと振動数の和Ｙとの関係を示すグラフである。
【図７０】実施例１８のゴルフクラブセットについて、ロフト角度θと振動数の和Ｙとの関係を示すグラフである。
【図７１】比較例２のゴルフクラブセットについて、ロフト角度θと振動数の和Ｙとの関係を示すグラフである。
【図７２】実施例１のゴルフクラブセットについて、自然数Ｘに対する振動数の和Ｙの回帰直線を示すグラフである。
【図７３】実施例２のゴルフクラブセットについて、自然数Ｘに対する振動数の和Ｙの回帰直線を示すグラフである。
【図７４】実施例３のゴルフクラブセットについて、自然数Ｘに対する振動数の和Ｙの回帰直線を示すグラフである。
【図７５】実施例４のゴルフクラブセットについて、自然数Ｘに対する振動数の和Ｙの回帰直線を示すグラフである。
【図７６】実施例５のゴルフクラブセットについて、自然数Ｘに対する振動数の和Ｙの回帰直線を示すグラフである。
【図７７】実施例６のゴルフクラブセットについて、自然数Ｘに対する振動数の和Ｙの回帰直線を示すグラフである。
【図７８】実施例７のゴルフクラブセットについて、自然数Ｘに対する振動数の和Ｙの回帰直線を示すグラフである。
【図７９】実施例８のゴルフクラブセットについて、自然数Ｘに対する振動数の和Ｙの回帰直線を示すグラフである。
【図８０】実施例９のゴルフクラブセットについて、自然数Ｘに対する振動数の和Ｙの回帰直線を示すグラフである。
【図８１】比較例１のゴルフクラブセットについて、自然数Ｘに対する振動数の和Ｙの回帰直線を示すグラフである。
【図８２】実施例１０のゴルフクラブセットについて、自然数Ｘに対する振動数の和Ｙの回帰直線を示すグラフである。
【図８３】実施例１１のゴルフクラブセットについて、自然数Ｘに対する振動数の和Ｙの回帰直線を示すグラフである。
【図８４】実施例１２のゴルフクラブセットについて、自然数Ｘに対する振動数の和Ｙの回帰直線を示すグラフである。
【図８５】実施例１３のゴルフクラブセットについて、自然数Ｘに対する振動数の和Ｙの回帰直線を示すグラフである。
【図８６】実施例１４のゴルフクラブセットについて、自然数Ｘに対する振動数の和Ｙの回帰直線を示すグラフである。
【図８７】実施例１５のゴルフクラブセットについて、自然数Ｘに対する振動数の和Ｙの回帰直線を示すグラフである。
【図８８】実施例１６のゴルフクラブセットについて、自然数Ｘに対する振動数の和Ｙの回帰直線を示すグラフである。
【図８９】実施例１７のゴルフクラブセットについて、自然数Ｘに対する振動数の和Ｙの回帰直線を示すグラフである。
【図９０】実施例１８のゴルフクラブセットについて、自然数Ｘに対する振動数の和Ｙの回帰直線を示すグラフである。
【図９１】比較例２のゴルフクラブセットについて、自然数Ｘに対する振動数の和Ｙの回帰直線を示すグラフである。
【図９２】実施例１のゴルフクラブセットについて、ロフト角度θに対する振動数の和Ｙの回帰直線を示すグラフである。
【図９３】実施例２のゴルフクラブセットについて、ロフト角度θに対する振動数の和Ｙの回帰直線を示すグラフである。
【図９４】実施例３のゴルフクラブセットについて、ロフト角度θに対する振動数の和Ｙの回帰直線を示すグラフである。
【図９５】実施例４のゴルフクラブセットについて、ロフト角度θに対する振動数の和Ｙの回帰直線を示すグラフである。
【図９６】実施例５のゴルフクラブセットについて、ロフト角度θに対する振動数の和Ｙの回帰直線を示すグラフである。
【図９７】実施例６のゴルフクラブセットについて、ロフト角度θに対する振動数の和Ｙの回帰直線を示すグラフである。
【図９８】実施例７のゴルフクラブセットについて、ロフト角度θに対する振動数の和Ｙの回帰直線を示すグラフである。
【図９９】実施例８のゴルフクラブセットについて、ロフト角度θに対する振動数の和Ｙの回帰直線を示すグラフである。
【図１００】実施例９のゴルフクラブセットについて、ロフト角度θに対する振動数の和Ｙの回帰直線を示すグラフである。
【図１０１】比較例１のゴルフクラブセットについて、ロフト角度θに対する振動数の和Ｙの回帰直線を示すグラフである。
【図１０２】実施例１０のゴルフクラブセットについて、ロフト角度θに対する振動数の和Ｙの回帰直線を示すグラフである。
【図１０３】実施例１１のゴルフクラブセットについて、ロフト角度θに対する振動数の和Ｙの回帰直線を示すグラフである。
【図１０４】実施例１２のゴルフクラブセットについて、ロフト角度θに対する振動数の和Ｙの回帰直線を示すグラフである。
【図１０５】実施例１３のゴルフクラブセットについて、ロフト角度θに対する振動数の和Ｙの回帰直線を示すグラフである。
【図１０６】実施例１４のゴルフクラブセットについて、ロフト角度θに対する振動数の和Ｙの回帰直線を示すグラフである。
【図１０７】実施例１５のゴルフクラブセットについて、ロフト角度θに対する振動数の和Ｙの回帰直線を示すグラフである。
【図１０８】実施例１６のゴルフクラブセットについて、ロフト角度θに対する振動数の和Ｙの回帰直線を示すグラフである。
【図１０９】実施例１７のゴルフクラブセットについて、ロフト角度θに対する振動数の和Ｙの回帰直線を示すグラフである。
【図１１０】実施例１８のゴルフクラブセットについて、ロフト角度θに対する振動数の和Ｙの回帰直線を示すグラフである。
【図１１１】比較例２のゴルフクラブセットについて、ロフト角度θに対する振動数の和Ｙの回帰直線を示すグラフである。
【図１１２】実施例１のゴルフクラブセットについて、ゴルフクラブシャフトの長さＬに対する振動数の和Ｙの回帰直線を示すグラフである。
【図１１３】実施例２のゴルフクラブセットについて、ゴルフクラブシャフトの長さＬに対する振動数の和Ｙの回帰直線を示すグラフである。
【図１１４】実施例３のゴルフクラブセットについて、ゴルフクラブシャフトの長さＬに対する振動数の和Ｙの回帰直線を示すグラフである。
【図１１５】実施例４のゴルフクラブセットについて、ゴルフクラブシャフトの長さＬに対する振動数の和Ｙの回帰直線を示すグラフである。
【図１１６】実施例５のゴルフクラブセットについて、ゴルフクラブシャフトの長さＬに対する振動数の和Ｙの回帰直線を示すグラフである。
【図１１７】実施例６のゴルフクラブセットについて、ゴルフクラブシャフトの長さＬに対する振動数の和Ｙの回帰直線を示すグラフである。
【図１１８】実施例７のゴルフクラブセットについて、ゴルフクラブシャフトの長さＬに対する振動数の和Ｙの回帰直線を示すグラフである。
【図１１９】実施例８のゴルフクラブセットについて、ゴルフクラブシャフトの長さＬに対する振動数の和Ｙの回帰直線を示すグラフである。
【図１２０】実施例９のゴルフクラブセットについて、ゴルフクラブシャフトの長さＬに対する振動数の和Ｙの回帰直線を示すグラフである。
【図１２１】比較例１のゴルフクラブセットについて、ゴルフクラブシャフトの長さＬに対する振動数の和Ｙの回帰直線を示すグラフである。
【図１２２】実施例１０のゴルフクラブセットについて、ゴルフクラブシャフトの長さＬに対する振動数の和Ｙの回帰直線を示すグラフである。
【図１２３】実施例１１のゴルフクラブセットについて、ゴルフクラブシャフトの長さＬに対する振動数の和Ｙの回帰直線を示すグラフである。
【図１２４】実施例１２のゴルフクラブセットについて、ゴルフクラブシャフトの長さＬに対する振動数の和Ｙの回帰直線を示すグラフである。
【図１２５】実施例１３のゴルフクラブセットについて、ゴルフクラブシャフトの長さＬに対する振動数の和Ｙの回帰直線を示すグラフである。
【図１２６】実施例１４のゴルフクラブセットについて、ゴルフクラブシャフトの長さＬに対する振動数の和Ｙの回帰直線を示すグラフである。
【図１２７】実施例１５のゴルフクラブセットについて、ゴルフクラブシャフトの長さＬに対する振動数の和Ｙの回帰直線を示すグラフである。
【図１２８】実施例１６のゴルフクラブセットについて、ゴルフクラブシャフトの長さＬに対する振動数の和Ｙの回帰直線を示すグラフである。
【図１２９】実施例１７のゴルフクラブセットについて、ゴルフクラブシャフトの長さＬに対する振動数の和Ｙの回帰直線を示すグラフである。
【図１３０】実施例１８のゴルフクラブセットについて、ゴルフクラブシャフトの長さＬに対する振動数の和Ｙの回帰直線を示すグラフである。
【図１３１】比較例２のゴルフクラブセットについて、ゴルフクラブシャフトの長さＬに対する振動数の和Ｙの回帰直線を示すグラフである。
【符号の説明】
１  ゴルフクラブシャフト
２  グリップ
３  ゴルフクラブヘッド
４  フェース面
１０  振動数測定器
１１  チャック部
１２  計測部
１３  重量体
θ  ロフト角度
Ａ３〜Ａ９，ＰＷ，ＳＷ  ゴルフクラブ
【図１】
0004107375.tif 000025
【図２】
0004107375.tif 000026
【図３】
0004107375.tif 000027
【図４】
0004107375.tif 000028
【図５】
0004107375.tif 000029
【図６】
0004107375.tif 000030
【図７】
0004107375.tif 000031
【図８】
0004107375.tif 000032
【図９】
0004107375.tif 000033
【図１０】
0004107375.tif 000034
【図１１】
0004107375.tif 000035
【図１２】
0004107375.tif 000036
【図１３】
0004107375.tif 000037
【図１４】
0004107375.tif 000038
【図１５】
0004107375.tif 000039
【図１６】
0004107375.tif 000040
【図１７】
0004107375.tif 000041
【図１８】
0004107375.tif 000042
【図１９】
0004107375.tif 000043
【図２０】
0004107375.tif 000044
【図２１】
0004107375.tif 000045
【図２２】
0004107375.tif 000046
【図２３】
0004107375.tif 000047
【図２４】
0004107375.tif 000048
【図２５】
0004107375.tif 000049
【図２６】
0004107375.tif 000050
【図２７】
0004107375.tif 000051
【図２８】
0004107375.tif 000052
【図２９】
0004107375.tif 000053
【図３０】
0004107375.tif 000054
【図３１】
0004107375.tif 000055
【図３２】
0004107375.tif 000056
【図３３】
0004107375.tif 000057
【図３４】
0004107375.tif 000058
【図３５】
0004107375.tif 000059
【図３６】
0004107375.tif 000060
【図３７】
0004107375.tif 000061
【図３８】
0004107375.tif 000062
【図３９】
0004107375.tif 000063
【図４０】
0004107375.tif 000064
【図４１】
0004107375.tif 000065
【図４２】
0004107375.tif 000066
【図４３】
0004107375.tif 000067
【図４４】
0004107375.tif 000068
【図４５】
0004107375.tif 000069
【図４６】
0004107375.tif 000070
【図４７】
0004107375.tif 000071
【図４８】
0004107375.tif 000072
【図４９】
0004107375.tif 000073
【図５０】
0004107375.tif 000074
【図５１】
0004107375.tif 000075
【図５２】
0004107375.tif 000076
【図５３】
0004107375.tif 000077
【図５４】
0004107375.tif 000078
【図５５】
0004107375.tif 000079
【図５６】
0004107375.tif 000080
【図５７】
0004107375.tif 000081
【図５８】
0004107375.tif 000082
【図５９】
0004107375.tif 000083
【図６０】
0004107375.tif 000084
【図６１】
0004107375.tif 000085
【図６２】
0004107375.tif 000086
【図６３】
0004107375.tif 000087
【図６４】
0004107375.tif 000088
【図６５】
0004107375.tif 000089
【図６６】
0004107375.tif 000090
【図６７】
0004107375.tif 000091
【図６８】
0004107375.tif 000092
【図６９】
0004107375.tif 000093
【図７０】
0004107375.tif 000094
【図７１】
0004107375.tif 000095
【図７２】
0004107375.tif 000096
【図７３】
0004107375.tif 000097
【図７４】
0004107375.tif 000098
【図７５】
0004107375.tif 000099
【図７６】
0004107375.tif 000100
【図７７】
0004107375.tif 000101
【図７８】
0004107375.tif 000102
【図７９】
0004107375.tif 000103
【図８０】
0004107375.tif 000104
【図８１】
0004107375.tif 000105
【図８２】
0004107375.tif 000106
【図８３】
0004107375.tif 000107
【図８４】
0004107375.tif 000108
【図８５】
0004107375.tif 000109
【図８６】
0004107375.tif 000110
【図８７】
0004107375.tif 000111
【図８８】
0004107375.tif 000112
【図８９】
0004107375.tif 000113
【図９０】
0004107375.tif 000114
【図９１】
0004107375.tif 000115
【図９２】
0004107375.tif 000116
【図９３】
0004107375.tif 000117
【図９４】
0004107375.tif 000118
【図９５】
0004107375.tif 000119
【図９６】
0004107375.tif 000120
【図９７】
0004107375.tif 000121
【図９８】
0004107375.tif 000122
【図９９】
0004107375.tif 000123
【図１００】
0004107375.tif 000124
【図１０１】
0004107375.tif 000125
【図１０２】
0004107375.tif 000126
【図１０３】
0004107375.tif 000127
【図１０４】
0004107375.tif 000128
【図１０５】
0004107375.tif 000129
【図１０６】
0004107375.tif 000130
【図１０７】
0004107375.tif 000131
【図１０８】
0004107375.tif 000132
【図１０９】
0004107375.tif 000133
【図１１０】
0004107375.tif 000134
【図１１１】
0004107375.tif 000135
【図１１２】
0004107375.tif 000136
【図１１３】
0004107375.tif 000137
【図１１４】
0004107375.tif 000138
【図１１５】
0004107375.tif 000139
【図１１６】
0004107375.tif 000140
【図１１７】
0004107375.tif 000141
【図１１８】
0004107375.tif 000142
【図１１９】
0004107375.tif 000143
【図１２０】
0004107375.tif 000144
【図１２１】
0004107375.tif 000145
【図１２２】
0004107375.tif 000146
【図１２３】
0004107375.tif 000147
【図１２４】
0004107375.tif 000148
【図１２５】
0004107375.tif 000149
【図１２６】
0004107375.tif 000150
【図１２７】
0004107375.tif 000151
【図１２８】
0004107375.tif 000152
【図１２９】
0004107375.tif 000153
【図１３０】
0004107375.tif 000154
【図１３１】
0004107375.tif 000155